(57)【特許請求の範囲】
【請求項１】
枠体表面の操作部内に数字等を表示する液晶表示部を備え、前記枠体内に冷凍サイクルとドレンタンクと湿度センサを備え、吸込口から吸込んだ空気を蒸発器にて冷却することで空気中の水分を結露させ、その後凝縮器にて加熱し乾燥空気を吹出口より排出すると共に、前記蒸発器で発生した結露水を前記ドレンタンクに収容する除湿機に於いて、前記枠体前面にランプ等で表示を行うカラー表示部を設け、前記湿度センサの検出値によって湿度を表示をする湿度表示手段と、前記ドレンタンクの満水を検知する水位検知手段と、この水位検知手段の信号を検知してドレンタンクの満水を表示する満水表示手段を備え、前記湿度表示手段は前記液晶表示部で数字にて現在湿度を表示すると共に、前記カラー表示器での表示を点灯で表示し、前記満水表示手段による表示を前記カラー表示器の点滅で表示する事を特徴とする除湿機。
【請求項２】
枠体表面の操作部内に数字等を表示する液晶表示部を備え、前記枠体内に冷凍サイクルとドレンタンクと湿度センサを備え、吸込口から吸込んだ空気を蒸発器にて冷却することで空気中の水分を結露させ、その後凝縮器にて加熱し乾燥空気を吹出口より排出すると共に、前記蒸発器で発生した結露水を前記ドレンタンクに収容する除湿機に於いて、前記枠体前面にランプ等で表示を行うカラー表示部を設け、前記湿度センサの検出値によって湿度を表示をする湿度表示手段と、前記ドレンタンクの満水を検知する水位検知手段と、この水位検知手段の信号を検知してドレンタンクの満水を表示する満水表示手段を備え、前記湿度表示手段は前記液晶表示部で数字にて現在湿度を表示すると共に、前記カラー表示器での表示を第１の色で表示し、前記満水表示手段による表示を前記カラー表示器の第２の色で表示する事を特徴とする除湿機。
【発明の詳細な説明】
【０００１】
【発明が属する技術分野】
この発明は枠体内に冷凍サイクルとドレンタンクを備え、吸込空気を除湿し乾燥空気を吹出す除湿機に関するものである。
【０００２】
【従来の技術】
この種の除湿機は枠体上部に設けられた操作部に運転スイッチやタイマースイッチ等のスイッチ類と運転状態を表示するランプ類や液晶表示を備え、現在の湿度等の運転状態を表示していた。
またドレンタンクの満水時には満水検知装置により除湿機の運転を停止すると共に、操作部内の満水ランプや液晶表示等で、満水状態を使用者に知らせドレンタンク内の結露水の廃棄を促すものだった。
【０００３】
【発明が解決しようとする課題】
しかしながら機器の運転状況を示す表示ランプや液晶表示は操作部に設けられており、この操作部にはスイッチ類やランプ類が多数あり、運転状況を表示する表示ランプが他のランプやスイッチに紛れてしまい確認しにくく、また液晶表示の中からめざす表示を探すのは、とても見にくいものであり、除湿機から離れたところではその操作部内の表示の内容を確認する事ができないために、運転状態が知りたい場合には除湿機の近くまで確認に行く必要が有り、非常に不便なものであった。
【０００４】
【問題点を解決するための手段】
この発明はこの点に着目し上記欠点を解決する為、特にその構成を、枠体表面の操作部内に数字等を表示する液晶表示部を備え、前記枠体内に冷凍サイクルとドレンタンクと湿度センサを備え、吸込口から吸込んだ空気を蒸発器にて冷却することで空気中の水分を結露させ、その後凝縮器にて加熱し乾燥空気を吹出口より排出すると共に、前記蒸発器で発生した結露水を前記ドレンタンクに収容する除湿機に於いて、前記枠体前面にランプ等で表示を行うカラー表示部を設け、前記湿度センサの検出値によって湿度を表示をする湿度表示手段と、前記ドレンタンクの満水を検知する水位検知手段と、この水位検知手段の信号を検知してドレンタンクの満水を表示する満水表示手段を備え、前記湿度表示手段は前記液晶表示部で数字にて現在湿度を表示すると共に、前記カラー表示器での表示を点灯で表示し、前記満水表示手段による表示を前記カラー表示器の点滅で表示するものである。
【０００５】
また前記湿度表示手段は前記液晶表示部で数字にて現在湿度を表示すると共に、前記カラー表示器での表示を第１の色で表示し、前記満水表示手段による表示を前記カラー表示器の第２の色で表示するようにしたものである。
【０００６】
【発明の実施の形態】
以下この発明の実施の形態を図面をもとに説明すれば、１は除湿機の枠体で底板２上に前方の前ケース３と後方の後ケース４とを設けて本体の外郭を構成している。
５は前記枠体１背面上部に形成された吸込口で、前記後ケース４に横長のスリットを多数備えた開口が設けられている。
６は前記枠体１上面に設けた吹出口で、開いた時に風向板を兼ねる開閉自在の蓋７によって乾燥空気の吹出方向を前斜め上方向から後ろ斜め上方向まで自由にかえることができるものである。
【０００７】
前記吸込口５の内側には樹脂製の網や不織布から成り吸入空気に混入するホコリを取り除くフィルタ８を備えている。このフィルタ８の内側にはフィンチューブ式の熱交換器からなる蒸発器９を備え、吸込空気を冷却することにより空気中の水分を結露させ除湿を行う。
【０００８】
前記蒸発器９の更に下流には蒸発器９と同じくフィンチューブ式の熱交換器からなる凝縮器１０を備え、蒸発器９にて冷却された空気の加熱を行う。
前記凝縮器１０下流には送風ファン１１及びこのファン１１を駆動するファンモータ１２を設け、前記吸込口５と吹出口６の間に形成した送風経路１３の送風を行うものである。
【０００９】
前記前ケース３の内側でファンモータ１２との間にはケーシング１４を備え、送風を吹出口６側へ導くものである。
また前記凝縮器１０とファン１１の間には効率的にファン１１へ送風を導くために中央に送風口を備えた仕切板１５を設け、蒸発器９の下方には結露水を受けるドレン皿１６を設けている。
１７は一方をこのドレン皿１６の底面に接続し、他方をドレンタンク１８の上部に位置させた排水路で、前記ドレン皿１６で集めた結露水を前記ドレンタンク１８へ導くものである。
【００１０】
１９は前記ドレン皿１６下方に設けられ、前記ドレンタンク１８が収納されるタンク収納室で、前面の前ケース３下方に開口部２０を備え前方から水平方向に前記ドレンタンク１８を抜き差しすることでドレンタンク１８の着脱を行うものであり、タンク１８装着時には開口部２０をタンク１８前面が塞ぎ、前記前ケース３とほぼ平坦に形成される。一方タンク１８の中央には透明な樹脂材料から成る水位確認窓２１が設けられ、タンク１８装着時に於いてタンク１８内の水位が明瞭に確認できるものである。
【００１１】
また前記ドレンタンク１８の前面側の下端部中央を内側に凹ませてタンク着脱用の取手部２２を形成し、タンク１８内上部には満水検知用のフロート２３を備えている。
【００１２】
２４は前記送風経路１３の下方で枠体１の下部の機械室２５に設けた圧縮機で、前記凝縮器１０と減圧装置（図示せず）と蒸発器９を順次冷媒配管で連通し冷凍サイクルを形成している。
【００１３】
２６はマイクロスイッチ等の水位検知手段で、前記機械室２５とタンク収納室１９の間の仕切板２７に固定され、空のタンク１８が装着されると前記フロート２３より延出される作動アーム２８が上面に突出したボタン２９を押圧し運転スタンバイ状態を形成する。除湿機運転後前記ドレンタンク１８内に徐々に結露水が溜まる事で水位が上昇し、満水時フロート２３の浮力で回動軸３０を支点にして前記作動アーム２８が回動し、前記ボタン２９の押圧が解除されることによって満水を検知して制御装置３１に満水信号を送るものである。
【００１４】
３２は前記吹出口６の内側の送風経路１３に設けられたヒーターで、冬期間に室温が低くなり除湿の効率が低下する事を防止するものである。
３３は前記フィルタ８と蒸発器９の間に設けられた室温センサで、吸込口５から吸い込まれた室内空気の温度を検知して、前記制御装置３１へ信号を送るものである。
３４は前記室温センサ３３と同じくフィルタ８と蒸発器９の間に設けられた湿度センサで、吸込空気の湿度を検知して前記制御装置３１へ信号を送るものである。
【００１５】
３５は前記前ケース３の上部に設けた操作部で、運転スイッチ３６やタイマースイッチ３７や自動運転スイッチ３８等の押圧式のボタンスイッチと横長の液晶表示部３９が背面に備えた操作部基板４０に固定されている。
【００１６】
前記液晶表示部３９内は現在の湿度を表示する「２桁の数字」や、自動運転中である事を知らせる「自動」や、前記ドレンタンク１８が満量で水位検知手段２６が作動した事を知らせる「満水」や、タイマー運転の作動時間や残時間を知らせる「１桁の数字」等の文字を前記制御装置３１の指令により表示するものである。
【００１７】
４１は前記操作部３５とドレンタンク１８の間に設けられた縦長のカラー表示器で、前記前ケース３の表示穴４２に、透明樹脂により形成されたレンズ４３を突出し、このレンズ４３の上部に備えた赤色ＬＥＤ４４と青色ＬＥＤ４５によって表示を行うものであり、湿度が６０％より低い低湿度での運転中は、視覚的に後退作用のある後退色の青色で点灯することで、低湿度の安定運転を視覚的に表現し、且つ湿度が６０％以上の高湿度での運転中は、視覚的に進出作用のある進出色の赤色に点灯することで、除湿機がフルパワーで稼働中である事を表現し、前記ドレンタンク１８の満水時には赤色の点滅をすることで、タンク１８の水捨てを使用者に促すものである。
【００１８】
図４の断面図によって前記カラー表示器４１の説明をすれば、前記レンズ４３の前面は表示穴４２より約５ｍｍ突出するように縦長の凸部４６が形成され、レンズ４３の背面４７は上方からの光を反射するように傾斜して設けられると共に前方から見るとこの光が分散してキラキラと目立つ様に表面に凹凸が設けられている。
【００１９】
更に上面には凹部４８を備え、前側に前記赤色ＬＥＤ４４を後ろ側に青色ＬＥＤ４５を各１個づつ取り付けた表示基板４９が、前記ＬＥＤ４４・４５が前記凹部４８内に位置するように取り付けられているので、レンズ４３後方にＬＥＤ等の電気部品を収納するスペースが必要なく除湿機の前後方向の幅を小さくする事ができるものである。
また前記レンズ４３および表示基板４９はネジにて前記操作部３５裏面の操作部枠５０に取り付けられるものである。
【００２０】
図５のブロック図によって制御の説明をすれば、マイクロコンピュータ等から成る前記制御装置３１の入力側に前記室温センサ３３、湿度センサ３４、水位検知手段２６、操作部基板４０が接続され、出力側には前記圧縮機２４、ファンモータ１２、ヒーター３２、カラー表示器４１が接続され、入力側からのあらゆる信号を判断して冷凍サイクルの運転や表示等を行うものである。
【００２１】
５１は湿度表示手段で前記湿度センサ３４からの信号を判断し、操作部基板４０を経由して前記液晶表示部３９に現在湿度のデジタル表示を行うと共に、湿度が６０％より低い低湿度での運転中は、視覚的に後退作用のある後退色の青色で点灯することで、低湿度の安定運転を視覚的に表現し、且つ湿度が６０％以上の高湿度での運転中は、視覚的に進出作用のある進出色の赤色に点灯することで、除湿機がフルパワーで稼働中である事を表現し、湿度の高さに応じてカラー表示器４０の赤色ＬＥＤ４４又は青色ＬＥＤ４５の点灯を行い現在の湿度を使用者にわかりやすく表示するものである。
【００２２】
５２は満水表示手段で前記水位検知手段２６からの信号を判断し、操作部基板４０を経由して前記液晶表示部３９に「満水」の表示を行うと共に、カラー表示器４１の赤色ＬＥＤ４４の点滅によって、ドレンタンク１８が満水でタンク１８の水捨てが必要である事を使用者にわかりやすく表示するものである。
【００２３】
図６のフローチャートによって作動の説明をすれば、運転スイッチ３８を押圧すればＳ１にて水位検知手段２６によってドレンタンク１８の水位を判断し、タンク内が満水であればＳ２に、除湿水が少ない状態であればＳ３に進む。
Ｓ２ではカラー表示器４１の赤色ＬＥＤ４４を、視覚的に進出作用のある進出色の赤色に点滅する事で、タンク１８の水捨てを使用者に促すと共に、操作部３５の液晶表示部３９に「満水」の表示を行い、圧縮機２４、ファンモータ１２等の運転は行わない。
【００２４】
Ｓ３では前回の運転が自動運転で有ったかを判断し、自動運転ならばＳ４に進み、自動運転でないならばＳ６へジャンプする。Ｓ４では室温センサ３３の値を読込み後、Ｓ５にて現在室温が１５℃以上ならば、送風ファン１１と圧縮機２４の運転を開始し、１５℃より低ければ効率的に除湿を行うために、送風ファン１１と圧縮機２４だけではなくヒーター３２の運転を始める。
【００２５】
次にＳ８にて湿度センサ３４の値を読込み、湿度表示手段５１にて液晶表示部３９に現在湿度の表示を行い、Ｓ９ではＳ８の湿度の値が６０％以上で有ればＳ１０にて赤色ＬＥＤ４４を点灯し、湿度が６０％より低ければＳ１１にて青色ＬＥＤ４５を点灯する。
湿度が６０％より低い低湿度での運転中は、視覚的に後退作用のある後退色の青色で点灯することで、低湿度の安定運転を視覚的に表現し、且つ湿度が６０％以上の高湿度での運転中は、視覚的に進出作用のある進出色の赤色に点灯することで、除湿機がフルパワーで稼働中である事を表現することで、とてもわかりやすい表示を実現している。
【００２６】
次にＳ１２にて運転の継続を判断し、運転継続ならばＳ１に戻り、運転停止ならば全停止を行う。
【００２７】
このように現在の湿度や満水を示すカラー表示器４１が操作部３５とは離れたところに独立して設けられているので、機器本体から遠く離れた位置でも使用者が湿度の高低とドレンタンク１８の満水を簡単に知ることができるものである。
またカラー表示器４１は赤色・青色の２色の色彩によって運転状態を区別しているので極めてより明瞭に運転状態を表示するものである。
またカラー表示器４１を点滅させることで、ドレンタンク１８の満水という異常状態を極めてより明瞭に表示するものである。
【００２８】
またカラー表示器４１は機器本体中央に設けたので使用者がより見やすく、かつドレンタンク１８に備えた水位確認窓２１の延長上に設けられているので、意匠的にスッキリとまとまり、赤色点滅による満水の異常表示確認後にスムーズに水位確認窓２１を確認することができるものである。
【００２９】
図７のフローチャートによって他の実施例の作動の説明をすれば、運転開始からＳ９の現在湿度の判断までは先の実施例と同じであり、Ｓ９ではＳ８の湿度の値が６０％以上で有ればＳ１３にて青色ＬＥＤ４５を点滅し、湿度が６０％より低ければＳ１１にて青色ＬＥＤ４５を点灯する。
湿度が６０％より低い低湿度での運転中は、視覚的に後退作用のある後退色の青色で点灯することで、低湿度の安定運転を視覚的に表現し、且つ湿度が６０％以上の高湿度での運転中は、青色を点滅することで、除湿機がフルパワーで稼働中である事を表現し、湿度関係の表示と、ドレンタンク１８の満水表示を色彩で明確に区別することでとてもわかりやすい表示を実現している。
【００３０】
【発明の効果】
以上のようにこの発明によれば、液晶表示部で数字にて現在湿度を表示すると共に、カラー表示器は第１、第２の２色の色彩によって運転状態を区別しているので極めてより明瞭に運転状態を表示するものである。
またカラー表示器を点滅させることで、ドレンタンクの満水という異常状態を極めてより明瞭に表示するものである。
【図面の簡単な説明】
【図１】この発明一実施例の斜視図。
【図２】同構造を簡略した側面の断面図。
【図３】同レンズの斜視図。
【図４】同要部側面の断面図。
【図５】同制御系のブロック図。
【図６】同フローチャート図。
【図７】他の実施例のフローチャート図。
【符号の説明】
１８  ドレンタンク
２６  水位検知手段
３５  操作部
４１  カラー表示器
【図１】
0004223199.tif 000002
【図２】
0004223199.tif 000003
【図３】
0004223199.tif 000004
【図４】
0004223199.tif 000005
【図５】
0004223199.tif 000006
【図６】
0004223199.tif 000007
【図７】
0004223199.tif 000008